(57)【特許請求の範囲】
【請求項１】
同一色について濃い記録材と淡い記録材とを含む複数の記録材を用いてカラー画像を形成するカラー画像形成装置用の色変換ルックアップテーブルを作成する色処理方法であって、
入力信号を、黒の成分を含む複数の色の成分に変換する前記色変換ルックアップテーブルを作成する際に、前記カラー画像形成装置の再現可能な色空間の有彩色を示す頂点と黒を示す頂点との頂点間における前記濃い記録材の量を定義する開始点を決定する色処理方法であって、
出力画像における前記有彩色の補色成分に対応する前記濃い記録材の粒状感が目立たない、前記補色成分に対応する前記淡い記録材の量を示す最大淡記録材量を入力し、
総記録材載り量制限条件を入力し、
前記総記録材載り量制限条件に基づき、前記頂点間において前記有彩色に対応する記録材を最大とする量から前記有彩色に対応する記録材の量を減少させ、かつ、前記頂点間において前記淡い記録材を最小とする量から前記淡い記録材の量を増加させ、減少後の前記有彩色に対応する記録材および増加後の前記淡い記録材それぞれの量を定義し、
前記淡い記録材の量が前記最大淡記録材量になるまで前記定義を繰り返し、
前記定義を繰り返して得られた記録材それぞれの量を用いて形成された複数のパッチ画像を測色して得られる複数の測色値を入力し、
前記定義を繰り返して得られた記録材それぞれの量と前記入力した複数の測色値の前記色空間におけるそれぞれの距離とに基づき、前記開始点を決定することを特徴とする色処理方法。
【請求項２】
さらに、出力画像において黒記録材の粒状感が目立たない、前記補色成分に対応する濃い記録材の量を示す最大濃記録材量を入力し、前記黒の成分に対応する前記黒記録材の量を定義する開始点を決定することを特徴とする請求項１に記載の色処理方法。
【請求項３】
前記色空間における、前記有彩色を示す頂点の各々と前記黒を示す頂点とを結んだラインの夫々において、前記黒の成分に対応する黒記録材の量を定義する開始点を決定することを特徴とする請求項１または請求項２に記載の色処理方法。
【請求項４】
同一色について濃い記録材と淡い記録材とを含む複数の記録材を用いてカラー画像を形成するカラー画像形成装置用の色変換ルックアップテーブルを作成する色処理装置であって、
入力信号を、黒の成分を含む複数の色の成分に変換する前記色変換ルックアップテーブルを作成する際に、前記カラー画像形成装置の再現可能な色空間の有彩色を示す頂点と黒を示す頂点との頂点間における前記濃い記録材の量を定義する開始点を決定する色処理装置であって、
出力画像における前記有彩色の補色成分に対応する前期濃い記録材の粒状感が目立たない、前記補色成分に対応する前記淡い記録材の量を示す最大淡記録材量を入力する最大淡記録材量入力手段と、
総記録材載り量制限条件を入力する条件入力手段と、
前記総記録材載り量制限条件に基づき、前記頂点間において前記有彩色に対応する記録材を最大とする量から、前記有彩色に対応する記録材の量を減少させ、かつ、前記頂点間において前記淡い記録材を最小とする量から前記淡い記録材の量を増加させ、減少後の前記有彩色に対応する記録材および増加後の前記淡い記録材それぞれの量を定義する定義手段と、
前記淡い記録材の量が前記最大淡記録材量になるまで前記定義を繰り返す繰り返し手段と、
前記定義を繰り返して得られた記録材それぞれの量を用いて形成された複数のパッチ画像を測色して得られる複数の測色値を入力する測色値入力手段と、
前記定義を繰り返して得られた記録材それぞれの量と前記入力した複数の測色値の前記色空間におけるそれぞれの距離とに基づき、前記開始点を決定する決定手段と
を有することを特徴とする色処理装置。
【請求項５】
さらに、出力画像において黒記録材の粒状感が目立たない、前記補色成分に対応する濃い記録材の量を示す最大濃記録材量を入力し、前記黒の成分に対応する前記黒記録材の量を定義する開始点を決定することを特徴とする請求項４に記載の色処理装置。
【請求項６】
前記色空間における、前記有彩色を示す頂点の各々と前記黒を示す頂点とを結んだラインの夫々において、前記黒の成分に対応する黒記録材の量を定義する開始点を決定することを特徴とする請求項４または請求項５に記載の色処理装置。
【請求項７】
コンピュータを請求項４乃至６のいずれか１項に記載の色処理装置として機能させるためのプログラムを記録したコンピュータ可読な記録媒体。
【発明の詳細な説明】
【０００１】
【発明の属する技術分野】
黒記録材および同一系統の色再現に用いる濃度の異なる複数の記録材を用いてカラー画像を形成するカラー画像形成装置用の色変換ルックアップテーブルを作成するもに関する。
【０００２】
【従来の技術】
カラー印刷装置は、ＰＣにおけるアプリケーションからのＲＧＢ信号値を入力し、ＣＭＹＫ信号値を出力する色変換ルックアップテーブル（ＬＵＴ）を有している。
【０００３】
近年、入力信号ＲＧＢに等色なプリンタ出力を得るために、入力信号ＲＧＢ値をデバイス依存ＲＧＢ（カラー印刷装置に依存したＲＧＢ）に変換するＬＵＴと、該デバイス依存ＲＧＢ値をＣＭＹＫ出力値に変換する色変換ＬＵＴとを用いて、入力ＲＧＢ信号値をＣＭＹＫ出力値に変換するものが提案されている。
【０００４】
【発明が解決しようとする課題】
従来、デバイス依存ＲＧＢ値をＣＭＹＫ出力値に変換する色変換ＬＵＴの格子点におけるKインク量および下色除去量は、関数に基づく計算により求められる。
【０００５】
そして、関数として各CMYの最小値もしくはKインク量をパラメータとする関数を用いるために、Kインク量の制御が難しい。そのため、明度の高い出力において、Ｋインクのドットが出力画像に対して粒状感を生じさせ、出力画像の画像品質を劣化させる原因となる場合があった。
【０００６】
また、下色除去関数の他に、マスキング計算方法によって作成された色変換LUTや３次元のプリンタモデル色再現空間から、L*a*b*を用いて四面体補間等の３次元補間を行い、所望のＣＭＹＫインク量をサーチするような方法も提案されている。しかしながら、これらの方法は、莫大な計算時間が必要な上、出力結果の階調性にばらつきが生じるなどの問題があり、カラー印刷装置における出力色空間を必ずしも最大に再現しているとは言えず、入力信号であるRGB信号色空間に対して十分な色再現性をもつとはいえない場合があった。
【０００７】
また、Kインク自体の最大濃度が薄い場合、プロセスブラックにKインクのみの最大出力値をおいた場合には、プロセスブラックよりも、周りの有彩色色インクとKインクおよび有彩色色インクにたいして補色インクとなる３つのインク系の組み合わせによる出力濃度のほうが高くなり、カラー印刷装置に対してその出力色空間に、ひずみを生じさせ、出力画像に擬似輪郭を生じさせるなどの問題があった。
【０００８】
本発明は、粒状感がなく高品質な出力画像を得ることができるようにすることを目的とする。
【０００９】
【課題を解決するための手段】
上記目的を達成するために、本発明は、同一色について濃い記録材と淡い記録材とを含む複数の記録材を用いてカラー画像を形成するカラー画像形成装置用の色変換ルックアップテーブルを作成する色処理方法であって、入力信号を、黒の成分を含む複数の色の成分に変換する前記色変換ルックアップテーブルを作成する際に、前記カラー画像形成装置の再現可能な色空間の有彩色を示す頂点と黒を示す頂点との頂点間における前記濃い記録材の量を定義する開始点を決定する色処理方法であって、出力画像における前記有彩色の補色成分に対応する前記濃い記録材の粒状感が目立たない、前記補色成分に対応する前記淡い記録材の量を示す最大淡記録材量を入力し、総記録材載り量制限条件を入力し、前記総記録材載り量制限条件に基づき、前記頂点間において前記有彩色に対応する記録材を最大とする量から、前記有彩色に対応する記録材の量を減少させ、かつ、前記頂点間において前記淡い記録材を最小とする量から前記淡い記録材の量を増加させ、減少後の前記有彩色に対応する記録材および増加後の前記淡い記録材それぞれの量を定義し、前記淡い記録材の量が前記最大淡記録材量になるまで前記定義を繰り返し、前記定義を繰り返して得られた記録材それぞれの量を用いて形成された複数のパッチ画像を測色して得られる複数の測色値を入力し、前記定義を繰り返して得られた記録材それぞれの量と前記入力した複数の測色値の前記色空間におけるそれぞれの距離とに基づき、前記開始点を決定することを特徴とする。また、同一色について濃い記録材と淡い記録材とを含む複数の記録材を用いてカラー画像を形成するカラー画像形成装置用の色変換ルックアップテーブルを作成する色処理装置であって、入力信号を、黒の成分を含む複数の色の成分に変換する前記色変換ルックアップテーブルを作成する際に、前記カラー画像形成装置の再現可能な色空間の有彩色を示す頂点と黒を示す頂点との頂点間における前記濃い記録材の量を定義する開始点を決定する色処理装置であって、出力画像における前記有彩色の補色成分に対応する前期濃い記録材の粒状感が目立たない、前記補色成分に対応する前記淡い記録材の量を示す最大淡記録材量を入力する最大淡記録材量入力手段と、総記録材載り量制限条件を入力する条件入力手段と、前記総記録材載り量制限条件に基づき、前記頂点間において前記有彩色に対応する記録材を最大とする量から、前記有彩色に対応する記録材の量を減少させ、かつ、前記頂点間において前記淡い記録材を最小とする量から前記淡い記録材の量を増加させ、減少後の前記有彩色に対応する記録材および増加後の前記淡い記録材それぞれの量を定義する定義手段と、前記淡い記録材の量が前記最大淡記録材量になるまで前記定義を繰り返す繰り返し手段と、前記定義を繰り返して得られた記録材それぞれの量を用いて形成された複数のパッチ画像を測色して得られる複数の測色値を入力する測色値入力手段と、前記定義を繰り返して得られた記録材それぞれの量と前記入力した複数の測色値の前記色空間におけるそれぞれの距離とに基づき、前記開始点を決定する決定手段とを有することを特徴とする。
【００１０】
【発明の実施の形態】
（第１の実施形態）
出力インクとしてＣＭＹＫ濃インクおよび少なくとも１色について希釈された淡インクを用いる多色カラー印刷装置における、デバイスＲＧＢを出力インク対応色信号に変換する色変換ＬＵＴ（ルックアップテーブル）作成方法について説明する。
【００１１】
本実施形態では、図１に示されるようなカラー印刷装置の出力色空間を想定し、色変換ＬＵＴは、各軸について格子点数１７、格子点間隔１６、そして各色８ビット（０〜２５５）データで構成されるとする。
【００１２】
色変換LUTの作成は以下の手順で行う。
【００１３】
まず、カラー印刷装置の再現可能な色空間の頂点におけるLUT格子点、W（紙白）、RGBCMY、およびプロセスブラックＢｋを出力する任意の格子点を決定し、各格子点における出力構成インク色を決定する。
【００１４】
次に、W（紙白）―  RGBCMY、およびＲＧＢＣＭＹ―Ｂｋラインにおける各LUT格子点の構成インク色を決定する。
【００１５】
以上の2つの手順により、カラー印刷装置の再現可能な出力色空間の最外郭を決定する。
【００１６】
W（紙白）−Ｂｋラインにおける各LUT格子点列における構成インク色を決定する。
【００１７】
そして、最外郭における任意のLUT格子点列の構成インク色およびW（紙白）−Ｂｋラインにおける格子点列の構成インク色を用いて、補間処理を行い、任意のLUT内部格子点の出力を決定する。
【００１８】
本実施形態では、Kインク量および下色除去量を制御して、以下の効果を得られるようにするものである。
【００１９】
（１）明度の高い領域において粒状感が生じないようにする
（２）カラー印刷装置の色再現範囲をできるだけ利用する
（３）色の連続性を保つ
【００２０】
以下に、Kインク量および下色除去量を制御して色変換ＬＵＴの格子点データを作成する方法、すなわち、ＲＧＢＣＭＹ―Ｂｋラインにおける各LUT格子点の構成インク色を決定する方法を説明する。上記効果を得るためには、特に、R、G、B、C、M、YとKを結んだライン上の格子点における構成インクの決定が重要である。
【００２１】
代表例として、Ｒ（レッド）からプロセスブラックまでの出力ＬＵＴ格子点列における構成インクの決定について、以下、図２、図３、図４に示されるフローチャートを用いて説明する。なお、ＧＢＣＭＹ各色からプロセスブラックまでの構成インク量の決定も同様の手順によって決定することができる。
【００２２】
図１に示されるＲ（レッド）からBｋ（プロセスブラック）を結ぶ有彩色―無彩色ライン上の格子点群を、処理対象の格子点列として定義する。
【００２３】
R―Ｂｋを結ぶ各LUT格子点列を、ＣＭＹＫ各濃淡インク構成の構成に基づき、有彩色インクと補色淡インク量で定義される領域（図８、領域0）、有彩色インクと補色濃淡インク量で定義される領域（領域１）、有彩色インクと補色濃インク量で定義される領域（領域２）、有彩色インクと補色濃インク量およびＫインクで定義される領域（領域３）、有彩色インクとＫインク（補色濃インク量＝０）で定義される領域（領域４）に分割する。
【００２４】
（第１の処理）
有彩色インクと補色淡インク量で定義される領域におけるＣＭＹＫインク量決定方法について図２において示されるフローチャートを用いて説明する。
【００２５】
Ｋインクのドットが要因である粒状性に注目し、この粒状性が視覚的に判別不可能となる最大補色濃インク量と、カラー印刷装置における総インク載り量制限条件Ｖｌｉｍ、および総インク載り量制限条件を満たす有彩色インク量があらかじめ定義されているものとする。
【００２６】
さらに、ＣＭＹＲＧＢ各有彩色インクについて、それぞれ補色となるインク色の濃インク入力開始における、補色濃インクのドットが要因となる粒状性に注目し、この粒状性が視覚的に判別不可能となる最大補色淡インク量と、カラー印刷装置における総インク載り量制限条件を満たす、有彩色インク量があらかじめ定義されているものとする。
【００２７】
任意のＹ濃インク量とＭ濃インク量によって構成される有彩色Ｒインクに対して、補色淡インク量である淡シアンインク量Ｃlを定義する。
【００２８】
上記ラインにおいて補色インク量は、有彩色インク量より少なくなる。よって、補色インク量がグレイ成分を示すこととなる。よって、本実施形態では補色インク量をグレイ成分インク量とも呼称する。
【００２９】
また、有彩色Ｒインク量の最大値Ｒｍは、ＬＵＴにおける頂点色であるＲを実現する。
【００３０】
ステップ201において、淡シアンインク量Ｃl＝０に定義する。
【００３１】
ステップ202において、有彩色Ｒインク量Ｒｇを有彩色Ｒインク量の最大値Ｒｍに定義する。
【００３２】
ステップ203において、淡シアンインク量Ｃlと、有彩色Ｒインク量Ｒｇにおけるインク載り量Ｖを求める。
【００３３】
ステップ204において、ステップ203におけるインク載り量Ｖをカラー印刷装置における総インク載り量制限条件Vlimと比較する。
【００３４】
条件を満足する場合は、ステップ206において淡シアンインク量Ｃlにおける有彩色Ｒインク量Ｒｇのインク組み合わせを保存する。
【００３５】
ステップ207において淡シアンインク量Ｃlをインクリメントする。
【００３６】
ステップ208において、淡シアンインク量Ｃlが前記定義されている最大補色淡インク量Ｃlｍになると判断されるまで、ステップ202以下の処理を繰り返す。
【００３７】
ステップ204において条件を満足しなかった場合は、ステップ205において有彩色Ｒインク量Ｒｇを、条件を満たすまで減少させる。
【００３８】
図２に示されるフローチャート処理における結果例は、図6に示されるグラフの領域Area０のようになる。
【００３９】
（第２の処理）
有彩色インクと補色濃淡インク量で定義される領域（図８、領域1、領域２）におけるＣＭＹＫインク量決定方法について図３において示されるフローチャートを用いて説明する。
【００４０】
任意のＹ濃インク量とＭ濃インク量によって構成される有彩色Ｒインクに対して、補色濃インク量であるシアンインク量Ｃr、補色淡インク量であるシアンインク量Ｃlを定義する。
【００４１】
ステップ301において、補色淡シアンインク量Ｃl＝Ｃlmを定義する。
【００４２】
ステップ302において、補色濃インク量Cr＝0を定義する。
【００４３】
ステップ303において、有彩色Ｒインク量Ｒgを有彩色Ｒインク量の最大値Ｒｍを定義する。
【００４４】
以降、補色濃インク量は、補色濃インク量最大値Crmまで線形に増加される。
【００４５】
補色淡シアンインク量Ｃｌにおいて、補色シアンインク量の最大値Ｃｌlim、および、γｌパラメータによって、定義されるが、補色濃インク量の値に対して、補色インクにおける０値（終点）が任意パラメータlimitＬによって定義される。よって、次のような式によって補色淡シアンインク量Ｃｌが定義される。
【００４６】
Ｃｌ  ＝  Ｃｌlim・（１−Ｆli（Ｃr、γｌ、limitＬ））…  （3.１）
【００４７】
ステップ304において、前記式（3.１）によって淡シアンインク量Ｃｌを定義する。
【００４８】
ステップ305において、淡シアンインク量Ｃｌ、濃シアンインク量Ｃr、有彩色Ｒインク量Ｒｇにおけるインク載り量Ｖを求める。
【００４９】
ステップ306において、ステップ305におけるインク載り量Ｖをカラー印刷装置における総インク載り量制限条件Vlimと比較する。
【００５０】
条件を満足する場合は、ステップ308において、淡シアンインク量Ｃｌ、濃シアンインク量Ｃr、有彩色Ｒインク量Ｒｇのインク組み合わせを保存する。
【００５１】
ステップ309において濃シアンインク量Ｃrをインクリメントする。
【００５２】
ステップ310において、濃シアンインク量Ｃrが最大濃シアンインク量Ｃrmになると判断されるまで、ステップ303以下の処理を繰り返す。
【００５３】
ステップ306において、条件を満足しなかった場合は、ステップ307において有彩色Ｒインク量Ｒgを、条件を満たすまで減少させる。
【００５４】
図３に示されるフローチャート処理における結果例は、図6に示されるグラフの領域１,領域2のようになる。
【００５５】
（第３の処理）
有彩色インクと補色濃インク量、およびＫインクで定義される領域、有彩色インクとＫインク（補色濃インク量＝０）で定義される領域におけるＣＭＹＫ濃淡インク量決定方法について図４のフローチャートを用いて説明する。
【００５６】
ステップ401において、補色濃シアンインク量Ｃｒ＝Ｃｒｍを定義する。
【００５７】
ステップ402において、有彩色Ｒインク量Ｒｋを有彩色Ｒインク量の最大値Ｒｍを定義する。
【００５８】
ステップ403において、Kインク量K＝0を定義する。
【００５９】
以降、Ｋインクは、Ｋインク量最大値まで線形に増加される。
【００６０】
一方、有彩色Ｒインク量Ｒｋは、有彩色Ｒインク量の最大値Ｒｍ、Ｋインク量Ｋおよび、γｒパラメータを持つ次の式によって定義される。
【００６１】
Ｒｋ  ＝Ｒｍ・（１−（Ｋ／２５５）γｒ）…  （4.1）
【００６２】
補色濃シアンインク量Ｃｒは、補色シアンインク量の最大値Ｃｒｍ、および、γcパラメータ、および補色インクの０値（終点）を示すパラメータlimitＲを持つ次の式によって定義される。
【００６３】
Ｃｒ  ＝  Ｃｒｍ・（１−Ｆｒ（Ｋ、γｃ、limitＲ））…  （4.2）
【００６４】
ステップ404において、Ｋインク量Ｋ、および前記式（4.2）によって濃シアンインク量Ｃｒを定義する。
【００６５】
ステップ405において、前記式（4.1）によって有彩色Ｒインク量Ｒｋを定義する。
【００６６】
ステップ406において、Ｋインク量Ｋ、濃シアンインク量Ｃｒ、有彩色Ｒインク量Ｒｋにおけるインク載り量Ｖを求める。
【００６７】
ステップ407において、ステップ404におけるインク載り量Ｖをカラー印刷装置におけるＣＭＹＫ総インク載り量制限条件Vlimと比較する。
【００６８】
条件を満足する場合は、ステップ409において、Ｋインク量Ｋ、シアンインク量Ｃｒにおける有彩色Ｒインク量Ｒｋのインク組み合わせを保存する。
【００６９】
ステップ410においてＫインク量Ｋをインクリメントする。
【００７０】
ステップ411において、Ｋインク量Ｋが最大Ｋインク量になると判断されるまで、ステップ404以下の処理を繰り返す。
【００７１】
ステップ407において、条件を満足しなかった場合は、ステップ408において有彩色Ｒインク量Ｒｋを、条件を満たすまで減少させる。
【００７２】
図４に示されるフローチャート処理における結果例は、図6に示されるグラフの領域3、領域4のようになる。
【００７３】
図２〜図４のフローチャート処理によって求められた、ＣＭＹＫ各濃淡インク量を定義したインク量組み合わせから、任意点数のインク組み合わせを選択し、カラー印刷装置によって前記選択されたインク組み合わせにおけるパッチを出力、測色を行う。
【００７４】
その結果例を、図８、図9に示す。
【００７５】
図８、図9においては、前記式（3.１）および前記式（4.2）によって定義される淡シアンインク量Ｃｌと濃シアンインク量Ｃｒと、前記式（3.1）によって定義される有彩色Ｒインク量Ｒｋについて、前記式（3.1）前記式（４.1）前記式（4.2）における各パラメータを３種類変更した結果を示している。
【００７６】
よって、図８、図9をみても明らかなように、有彩色インクと補色淡インク量で定義される領域と、有彩色インクと補色濃淡インク量で定義される領域と、有彩色インクと補色濃インク量で定義される領域と、有彩色インクと補色濃インク量およびＫインクで定義される領域、有彩色インクとＫインク（補色インク量＝０）で定義される領域に関しては、再現色空間が最大であり、かつ、各領域を滑らかに結ぶための前記式（3.1）前記式（4.1）前記式（4.2）における各パラメータは一意に決定することが可能である。
【００７７】
よって、再現色空間が最大であり、かつ、階調性が高く、各領域を滑らかに結ぶための前記式（3.1）前記式（4.1）前記式（4.2）における各パラメータを決定することができる。
【００７８】
（第４の処理）
決定された各パラメータにおけるＣＭＹＫ各濃淡インク量において、選択された任意点数のインク組み合わせについて、パッチを形成し測色することにより、色再現空間内における各３次元座標値を求める。
【００７９】
上記手順によって決定された各パラメータにおけるＣＭＹＫ各濃淡インク量に基づきＬＵＴ格子点にＣＭＹＫ各濃淡インク量を定義するための処理を、図５に示されるフローチャートを用いて説明する。
【００８０】
ステップ501において、色変換ＬＵＴにおけるＲ−Ｂｋ上における任意数Ｎ点について、ＣＭＹＫ各インク量と色再現空間内における３次元座標値を定義する。この時、図6に示される領域0、領域1、領域2 、領域3、領域4の境界における各ＣＭＹＫ各濃淡インク量はＮ点に含まれる。
【００８１】
ステップ502において、Ｂｋ点を原点０とし、３次元間距離Ｌ(０)＝０と定義する。
【００８２】
ステップ503において、前記任意数点ｎについて隣合う点(n-1)における３次元間距離Ｌ(n)をそれぞれ求める。
【００８３】
３次元空間がＬａｂ空間であった場合、次に示される式によって求められる。
【００８４】
【外１】
0004310032.tif 000002
【００８５】
ステップ504において、Ｂｋ点を原点とし、Ｒまでの距離L(R)を、ステップにおいて求められた各点間の３次元間距離の総和として求める。
【００８６】
L(R)=ΣL(n)  （n=0…N）
【００８７】
ステップ505において、色再現空間内における各３次元座標値より、領域0の距離L(Ｇl)を求め、距離L(R)に対する比率を求める。
【００８８】
ステップ506において、領域1の距離L(Ｇlr)を求め、距離L(R)に対する比率を求める。
【００８９】
ステップ507において、領域２の距離L(Ｇr)を求め、距離L(R)に対する比率を求める。
【００９０】
ステップ508において、領域３の距離L(ＧＫ) を求め、距離L(R)に対する比率を求める。
【００９１】
ステップ509において、領域４の距離L(ＢＫ) を求め、距離L(R)に対する比率を求める。
【００９２】
ステップ510において、各領域の距離と距離L(R)の比例に応じて、各領域間を再現するＬＵＴ格子点数を配分する。
【００９３】
ステップ511において、各領域の境界となるＬＵＴ格子点に対して、各領域の境界となるＣＭＹＫ濃淡インク量を定義する。
【００９４】
ステップ512において、各領域間の距離として定義された距離L(Gl)、 L(Glr)、 L(Gr)、L(GK)、 L(BK)を配分された格子点数で等分し、各領域間のＬＵＴ格子点間の距離を求める。
【００９５】
ステップ513において、Ｒ−Ｂｋ格子点列において、Ｂｋを原点として、注目ＬＵＴ格子点をＢｋＬＵＴ格子点から１格子点Ｒ側にシフトした格子点に定義する。
【００９６】
ステップ514において、注目ＬＵＴ格子点における原点Ｂｋからの格子点間距離を、ステップ512において求められた各領域におけるＬＵＴ格子点間距離より求める。
【００９７】
ステップ515において、定義された注目ＬＵＴ格子点における原点Ｂｋからの格子点間距離を間にはさむステップ501において定義されたＣＭＹＫ各濃淡インク量の組み合わせおよびその原点Ｂｋからの各距離から、注目ＬＵＴ格子点におけるＣＭＹＫ各濃淡インク量を、距離に基づく線形補間処理により求める。
【００９８】
ステップ516において、注目格子点をひとつＲ側にシフトする。
【００９９】
ステップ517において、Ｒ―Ｂｋ格子点列におけるすべての格子点において、ＣＭＹＫ各濃淡インク量を定義するまでステップ514からステップ517の処理を繰り返す。
【０１００】
以上、図２から図５までに示されたフローチャートによる処理を行うことにより、定義されたＬＵＴ格子点列に関して、カラー印刷装置の出力再現色空間が可能な限り最大であり、および階調再現性のよい画像出力を実現する色変換ルックアップテーブルを作成することを実現する。
【０１０１】
図２から図５までに示されたフローチャートによる処理の結果例を図7にて示す。
【０１０２】
本実施形態によれば、第１の処理により、明度の高い領域において粒状感が生じないようにすることができる。さらに、第１〜第３の処理によりカラー印刷装置の色再現範囲を最大限利用することができる。また、第１〜第４の処理により、色の連続性を保つことができる。
【０１０３】
（実施形態２）
カラー印刷装置内にて用いられる色変換ルックアップテーブルの作成についてのみならず、カラー印刷装置に接続されたホストコンピュータ内において、色変換処理を行った画像出力結果をカラー印刷装置に送るようなシステムにおいて、ホストコンピュータ内において色変換に用いられるルックアップテーブルの作成においても本発明を適用できることは明らかである。
【０１０４】
また前述した実施形態の機能を実現する様に各種のデバイスを動作させる様に該各種デバイスと接続された装置あるいはシステム内のコンピュータに、前記実施形態機能を実現するためのソフトウエアのプログラムコードを供給し、そのシステムあるいは装置のコンピュータ（CPUあるいはMPU）を格納されたプログラムに従って前記各種デバイスを動作させることによって実施したものも本発明の範疇に含まれる。
【０１０５】
またこの場合、前記ソフトウエアのプログラムコード自体が前述した実施形態の機能を実現することになり、そのプログラムコード自体、及びそのプログラムコードをコンピュータに供給するための手段、例えばかかるプログラムコードを格納した記憶媒体は本発明を構成する。
【０１０６】
かかるプログラムコードを格納する記憶媒体としては例えばフロッピーディスク、ハードディスク、光ディスク、光磁気ディスク、CD-ROM,、磁気テープ、不揮発性のメモリカード、ROM等を用いることが出来る。
【０１０７】
またコンピュータが供給されたプログラムコードを実行することにより、前述の実施形態の機能が実現されるだけではなく、そのプログラムコードがコンピュータにおいて稼働しているOS(オペレーティングシステム)、あるいは他のアプリケーションソフト等と共同して前述の実施形態の機能が実現される場合にもかかるプログラムコードは本発明の実施形態に含まれることは言うまでもない。
【０１０８】
更に供給されたプログラムコードが、コンピュータの機能拡張ボードやコンピュータに接続された機能拡張ユニットに備わるメモリに格納された後そのプログラムコードの指示に基づいてその機能拡張ボードや機能格納ユニットに備わるCPU等が実際の処理の一部または全部を行い、その処理によって前述した実施形態の機能が実現される場合も本発明に含まれることは言うまでもない。
【０１０９】
【発明の効果】
本発明によれば、粒状感がなく高品質な出力画像を得ることができるようにすることができる。
【図面の簡単な説明】
【図１】カラー印刷装置の出力色空間と色空間を再現するためのルックアップテーブル格子点の関係を示した図である。
【図２】第１の処理の流れを示したフローチャートである。
【図３】第２の処理の流れを示したフローチャートである。
【図４】第３の処理の流れを示したフローチャートである。
【図５】第４の処理の流れを示したフローチャートである。
【図６】第１および第２の処理結果例を示した図である。
【図７】第３の処理結果例を示した図である。
【図８】本実施形態において補色インクと有彩色インクを求める式のパラメータを変えた時の縦軸L*、横軸クロマ（彩度）によって示されるカラー印刷装置における再現色空間について比較結果を示した図である。
【図９】本実施形態において補色インクと有彩色インクを求める式のパラメータを変えた時の縦軸b*、横軸a*によって示されるカラー印刷装置における再現色空間について比較結果を示した図である。
【図１】
0004310032.tif 000003
【図２】
0004310032.tif 000004
【図３】
0004310032.tif 000005
【図４】
0004310032.tif 000006
【図５】
0004310032.tif 000007
【図６】
0004310032.tif 000008
【図７】
0004310032.tif 000009
【図８】
0004310032.tif 000010
【図９】
0004310032.tif 000011